(57)【要約】  保護フィルム及びその離型層剥離方法であって、電子機器へのフィルム貼着の技術分野に関する。保護フィルム（１０）において、その離型層（３）の端部にタブ（４）が接続されることで離型層（３）と保護シート（１）を容易に剥離でき、剥離をよりスムーズにし、効率を高め、またその保護層（２）には、フィルム貼着装置と組み合わせて使用され、前記保護シート（１）を電子機器のスクリーンに位置合わせするための位置決め機構（２１）を有することでフィルム貼着精度が高く貼着効果が良好である。保護フィルムの離型層剥離方法において、位置決め装置（２０）が保護フィルム（１０）を位置決めし、剥離装置（３０）がタブ（４）と保護フィルム（１０）を剥離した後、保護フィルム（１０）に対して移動して離型層（３）を保護シート（１）から剥離することで離型層（３）の剥離をよりスムーズにし、効率を高め、さらにフィルム貼着効率及び品質を向上させる。【選択図】図３
2021529710.tif 000002
【特許請求の範囲】
【請求項１】
保護シート、保護層、及び離型層を備え、前記離型層の端部にはタブが接続され、前記保護層には、前記保護シートと電子機器のスクリーンとを位置合わせするための位置決め機構を有する、ことを特徴とする保護フィルム。
【請求項２】
前記タブは、第１の層と第２の層を含み、前記離型層の一端が前記第１の層と前記第２の層との間に介在し、前記タブの前記離型層と嵌合する一端が前記保護シートの境界とずれている、ことを特徴とする請求項１に記載の保護フィルム。
【請求項３】
前記タブには位置合わせ機構を有する、ことを特徴とする請求項１又は２に記載の保護フィルム。
【請求項４】
前記位置合わせ機構は、前記タブの前記離型層から離れた一端に設けられる、ことを特徴とする請求項３に記載の保護フィルム。
【請求項５】
前記位置決め機構は、前記保護シートの外周に沿って間隔を空けて設けられ、保護フィルムを位置決めするための複数の位置決め孔を備える、ことを特徴とする請求項１に記載の保護フィルム。
【請求項６】
複数の前記位置決め孔は、互いに非対称的に配置されている、ことを特徴とする請求項５に記載の保護フィルム。
【請求項７】
複数の前記位置決め孔は、少なくとも２種の直径サイズを有し、且つ互いにアレイ状に配置されている、ことを特徴とする請求項５に記載の保護フィルム。
【請求項８】
前記位置決め機構と連携して保護フィルムを位置決めする位置決め装置を提供するステップと、
タブと前記保護フィルムを剥離する剥離装置を提供するステップと、
前記剥離装置は前記保護フィルムに対して移動して離型層を保護シートから剥離するステップと、を含むことを特徴とする保護フィルムの離型層剥離方法。
【請求項９】
前記剥離装置は前記保護フィルムに対して移動して離型層を保護シートから剥離するステップは、具体的には、
前記剥離装置は前記保護シートの前記タブから離れた一端に対して移動して前記離型層を下向きに押さえ、離型層を保護シートから剥離するステップを含む、ことを特徴とする請求項８に記載の保護フィルムの離型層剥離方法。
【請求項１０】
前記剥離装置は前記保護フィルムに対して移動して離型層を保護シートから剥離するステップは、具体的には、
前記剥離装置は前記保護シートの前記タブから離れた一端に対して移動して前記離型層を巻き取り、離型層を保護シートから剥離するステップを含む、ことを特徴とする請求項８に記載の保護フィルムの離型層剥離方法。
【発明の詳細な説明】
【技術分野】
【０００１】
本発明は、電子機器へのフィルム貼着の技術分野に関し、具体的には、保護フィルム及びその離型層剥離方法に関する。
【背景技術】
【０００２】
現代社会では、電子機器が普及されており、このようなスマート電子機器は通常スクリーンを有し、スクリーンにはタッチ機能を有するのが一般的であり、指の導電特性を通じて、スクリーン上にボタンをタッチすることにより、連絡先に電話したりメニューをタッチして情報を取得したりする。頻繁なタッチや外力による摩擦や衝撃によりスクリーン表面が擦り傷を受けることを回避するために、スクリーンに保護フィルムを貼着する必要がある。
【０００３】
現在、保護フィルムとしては、高強度の硬質保護フィルム、たとえば強化ガラスフィルムなどが一般的に使用されており、強化フィルムは材質が硬く、貼着性が高い。保護フィルムは、一般には、片面に接着剤が粘着されてスクリーン表面に貼着される保護シートと、保護シートの粘着端に貼り合せられた離型層と、保護シートの他端に貼り合せられた保護層とを有する。このような構造を有する保護フィルムは、位置決めができず、且つ保護フィルムの離型層の剥離が困難であり、そのフィルム貼着の品質が確保できず、フィルム貼着装置と組み合わせて使用するのに適していない。
【発明の概要】
【発明が解決しようとする課題】
【０００４】
従来技術に存在する問題に対して、本発明の目的は、フィルム貼着装置と組み合わせて使用され、フィルム貼着精度が高く、効果が良好である保護フィルムを提供することである。本発明の別の目的は、スムーズに剥離でき、効率が高い保護フィルムの離型層剥離方法を提供することである。
【課題を解決するための手段】
【０００５】
保護フィルムであって、保護シート、保護層、及び離型層を備え、前記離型層の端部にはタブが接続され、前記保護層には、前記保護シートと電子機器のスクリーンとを位置合わせするための位置決め機構を有する。
【０００６】
上記技術案のさらなる改良として、前記タブは、第１の層と第２の層を含み、前記離型層の一端が前記第１の層と前記第２の層との間に介在し、前記タブの前記離型層と嵌合する一端が前記保護シートの境界とずれている。
【０００７】
上記技術案のさらなる改良として、前記タブには位置合わせ機構を有する。
【０００８】
上記技術案のさらなる改良として、前記位置合わせ機構は、前記タブの前記離型層から離れた一端に設けられる。
【０００９】
上記技術案のさらなる改良として、前記位置決め機構は、前記保護シートの外周に沿って間隔を空けて設けられ、保護フィルムを位置決めするための複数の位置決め孔を備える。
【００１０】
上記技術案のさらなる改良として、複数の前記位置決め孔は、互いに非対称的に配置されている。
【００１１】
上記技術案のさらなる改良として、複数の前記位置決め孔は、少なくとも２種の直径サイズを有し、且つ互いにアレイ状に配置されている。
【００１２】
保護フィルムの離型層剥離方法であって、
前記位置決め機構と連携して保護フィルムを位置決めする位置決め装置を提供するステップと、
タブと前記保護フィルムを剥離する剥離装置を提供するステップと、
前記剥離装置は前記保護フィルムに対して移動して離型層を保護シートから剥離するステップと、を含む。
【００１３】
上記技術案のさらなる改良として、前記剥離装置は前記保護フィルムに対して移動して離型層を保護シートから剥離するステップは、具体的には、
前記剥離装置は前記保護シートの前記タブから離れた一端に対して移動して前記離型層を下向きに押さえ、離型層を保護シートから剥離するステップを含む。
【００１４】
上記技術案のさらなる改良として、前記剥離装置は前記保護フィルムに対して移動して離型層を保護シートから剥離するステップは、具体的には、
前記剥離装置は前記保護シートの前記タブから離れた一端に対して移動して前記離型層を巻き取り、離型層を保護シートから剥離するステップを含む。
【発明の効果】
【００１５】
本発明の有益な効果は以下のとおりである。従来技術に比べて、本発明による保護フィルムでは、離型層の端部にはタブが接続され、それにより、離型層と保護シートを容易に剥離でき、剥離をよりスムーズにし、効率を高め、そして、保護層には、フィルム貼着装置と組み合わせて使用され、前記保護シートと電子機器のスクリーンとを位置合わせするための位置決め機構を有し、それにより、フィルム貼着精度が高く、フィルム貼着効果が良好である。本発明による保護フィルムの離型層剥離方法では、位置決め装置が保護フィルムを位置決めし、剥離装置がタブと保護フィルムを剥離した後、保護フィルムに対して移動して離型層を保護シートから剥離する形態を取り、それにより、離型層の剥離をよりスムーズにし、効率を高め、さらにフィルム貼着の効率及び品質を向上させる。
【図面の簡単な説明】
【００１６】
【図１】図１は本発明の保護フィルムの一実施例の構造図である。
【図２】図２は図１の上面図である。
【図３】図３は図１の分解図である。
【図４】図４は本発明の保護フィルムの離型層剥離方法の一実施例のフローチャートである。
【図５】図５は本発明の実施例の一実施形態において保護フィルムを位置決めした状態の模式図である。
【図６】図６は本発明の実施例の一実施形態において剥離装置でタブを下向きに押さえた状態の模式図である。
【図７】図７は図６の正面図である。
【図８】図８は本発明の実施例の一実施形態において剥離装置が保護シートのタブから離れた一端に対して移動して離型層を下向きに押さえた状態の模式図である。
【図９】図９は図８の正面図である。
【図１０】図１０は本発明の実施例の一実施形態において離型層を保護シートから完全に剥離した状態の模式図である。
【図１１】図１１は図１０の正面図である。
【図１２】図１２は本発明の実施例の一実施形態における位置合わせ機構の状態模式図である。
【図１３】図１３は本発明の保護フィルムの離型層剥離方法の別の実施例のフローチャートである。
【図１４】図１４は本発明の実施例の別の実施形態において剥離装置がタブを巻き取った状態の模式図である。
【図１５】図１５は図１４の正面図である。
【図１６】図１６は本発明の実施例の別の実施形態において剥離装置が保護シートのタブから離れた一端に対して移動して離型層を巻き取った状態の模式図である。
【図１７】図１７は図１６の正面図である。
【図１８】図１８は本発明の実施例の別の実施形態において離型層を保護シートから完全に剥離した状態の模式図である。
【図１９】図１９は図１８の正面図である。
【発明を実施するための形態】
【００１７】
図１及び図２に示すように、本発明の実施例の保護フィルムは、保護シート１、保護層２、及び離型層３を備え、保護層２には、フィルム貼着装置と組み合わせて使用され、保護シート１と電子機器のスクリーンとを位置合わせするための位置決め機構２１を有し、それにより、保護シート１を電子機器のスクリーンに正確に貼着することを確保する。図４に示すように、位置決め機構２１は、保護シート１の外周に沿って間隔を空けて設けられ保護フィルム１０を位置決めするための複数の位置決め孔２１０を備え、位置決め孔２１０は位置決め装置２０と嵌合して保護フィルム１０を位置決めすることで、位置決めを正確かつ安定的にする。本実施例では、位置決め孔２１０は４つ設けられ、通常の携帯電話の保護フィルムの使用要件を満たす。また、離型層３の保護シート１部と貼りつけた端部にはタブ４が接続され、フィルム貼着には離型層３を保護シート１から剥離することを容易にし、剥離をよりスムーズにし、効率を高める。
【００１８】
本発明のいくつかの実施例では、複数の前記位置決め孔２１０は、少なくとも２種の直径サイズを有し、２種の直径サイズの位置決め孔２１０は互いにアレイ状に配置され、それにより、保護フィルム１０の位置決め方向を容易に特定できる。好ましくは、複数の位置決め孔２１０は互いに不対称的に配置されるか、又は千鳥状に分布しており、このように、保護フィルム１０が使用時に正確な位置決め方向にあることがさらに確保される。
【００１９】
本発明のいくつかの実施例では、保護層２の境界は全体として保護シート１の境界よりも大きく、このようにして、保護層２に位置決め孔２１０を容易に配置し、保護フィルム１０を位置決めすることを可能とする。別の実施例として、保護層２は、位置決め孔２１０を有する位置決め層を貼着することで保護フィルム１０を位置決めするようにしてもよい。
【００２０】
本発明のいくつかの実施例では、タブ４は、第１の層４１と第２の層４２を含み、離型層３の一端が第１の層４１と第２の層４２との間に介在し、それにより、より安定的に接続することができる。好ましくは、タブ４の離型層３と嵌合する一端が保護シート１の境界とずれており、タブ４と離型層３が互いに重ならず、且つ隙間が極めて小さく、それにより、保護フィルム１０の未使用状態では離型層３と保護シート１との嵌合領域が安定的に貼着され、且つフィルム貼着においてタブ４と保護シート１が剥離された後、離型層３を保護シート１から剥離することが容易になる。
【００２１】
本発明のいくつかの実施例では、タブ４は、離型層３に対して変形しにくい硬質層であり、タブ４と保護フィルム１０を剥離するときに離型層３に曲げ変形の傾向を付与し、それにより、離型層３を保護シート１から剥離することをより容易にする。
【００２２】
本発明のいくつかの実施例では、タブ４には位置合わせ機構４３を有し、図１１に示すように、離型層３の剥離には、位置合わせ機構４３と連携する位置合わせ装置４０によってタブ４と離型層３を位置決めし、離型層３を回収することができる。好ましくは、位置合わせ機構４３は、タブ４の離型層３から離れた一端に設けられ、離型層３を剥離する前にタブ４が位置決めされることで、剥離中に離型層３が離脱したり曲がったりして、剥離の品質に悪影響を与えることが避けられる。
【００２３】
本発明のいくつかの実施例では、離型層３は、幅方向のサイズが保護シート１とほぼ同じであり、長手方向のサイズが保護シート１よりも大きく、離型層３の保護シート１部と貼りつけられた端部にはタブ４が接続され、それにより、フィルム貼着には離型層３を保護シート１の長手方向に沿って剥離することを容易にし、剥離をよりスムーズにし、効率を高める。また、タブ４は、離型層３がその幅方向に沿って容易に剥離できるように、離型層３の幅方向の一端に設けられてもよい。
【００２４】
図３は、本発明の一実施例の保護フィルムの離型層剥離方法を示し、この方法は、ステップＳ１０１〜ステップＳ１０３を含む。
ステップＳ１０１：図４に示すように、位置決め機構２１と連携して保護フィルム１０を位置決めするための位置決め装置２０を提供する。
ステップＳ１０２：タブ４を下向きに押さえて、保護フィルム１０とともに剥離する剥離装置３０を提供する。図５及び図６に示すように、タブ４と保護フィルム１０を剥離するときに離型層３に曲げ変形の傾向を付与し、それにより、離型層３を保護シート１から剥離することをより容易にする。
ステップＳ１０３：剥離装置３０は保護シート１のタブ４から離れた一端に対して移動して離型層３を下向きに押さえ、離型層３を保護シート１から剥離する。図７〜図１０に示すように、剥離装置３０は保護シート１に対して移動して下向きに押さえながら、離型層３を保護シート１から剥していき、好ましくは、図１１に示すように、位置合わせ機構４３は、剥離装置３０の移動中、常に位置合わせ装置４０と連携する状態を維持し、タブ４と離型層３を位置決めすることで、剥離には離型層３が離脱したり曲がったりして、剥離の品質に悪影響を与えることを回避する。
【００２５】
図１２は本発明の別の実施例の保護フィルムの離型層剥離方法を示し、この方法は、ステップＳ２０１〜ステップＳ２０３を含む。
ステップＳ２０１：位置決め機構２１と連携して保護フィルム１０を位置決めするための位置決め装置２０を提供する。
ステップＳ２０２：タブ４を巻き取って保護フィルム１０とともに剥離する剥離装置３０を提供する。図１３及び図１４に示すように、剥離装置３０はローラであり、ローラ及び／又はタブ４には粘着性があり、両方が接触すると互いに粘着し、ローラによりタブ４が巻き取られる。
ステップＳ２０３：剥離装置３０は保護シート１のタブ４から離れた一端に対して移動して離型層３を巻き取り、離型層３を保護シート１から剥離する。図１５〜図１８に示すように、ローラは、保護シート１に対して移動して離型層３を巻き取り、離型層３を保護シート１から剥離していく。
【００２６】
本発明の実施例の保護フィルムの離型層剥離方法では、離型層３の剥離をよりスムーズにし、効率を高め、さらにフィルム貼着の効率及び品質を向上させる。
【００２７】
以上の具体的な構造は、本発明の好適な実施例を具体的に説明したが、本発明の実施形態及び特許範囲はそれにより制限されるわけではなく、当業者であれば、本発明の精神を逸脱することなくさまざまな等同な変形や置換を行うことができ、これら等同な変形や置換はすべて本願の特許請求の範囲により限定される範囲に含まれるものとする。
【図１】
2021529710.tif 000003
【図２】
2021529710.tif 000004
【図３】
2021529710.tif 000005
【図４】
2021529710.tif 000006
【図５】
2021529710.tif 000007
【図６】
2021529710.tif 000008
【図７】
2021529710.tif 000009
【図８】
2021529710.tif 000010
【図９】
2021529710.tif 000011
【図１０】
2021529710.tif 000012
【図１１】
2021529710.tif 000013
【図１２】
2021529710.tif 000014
【図１３】
2021529710.tif 000015
【図１４】
2021529710.tif 000016
【図１５】
2021529710.tif 000017
【図１６】
2021529710.tif 000018
【図１７】
2021529710.tif 000019
【図１８】
2021529710.tif 000020
【図１９】
2021529710.tif 000021
【国際調査報告】
2021529710.tif 000022
2021529710.tif 000023
2021529710.tif 000024
2021529710.tif 000025